(57)【要約】      （修正有）【課題】指輪やブレスレット、ペンダント、ネックレス等の装身具として使用したときに、電磁波障害を防止することができ、しかも磁力による健康増進効果を有していて、磁気健康装身具としても機能するトルマリン製電磁波障害防止装身具を提供する。【解決手段】コード状に形成され、当該コード状素材が磁性材料を成形した芯材層２と、その表面に形成した保護被膜層３と、その間に介在させたトルマリン粉末層４とで構成されている。【選択図】図２
0003227571.tif 000002
【実用新案登録請求の範囲】
【請求項１】
コード状に形成され、当該コード状素材が磁性材料を成形した芯材層と、その表面に形成した保護被膜層と、その間に介在させたトルマリン粉末層とで構成されていることを特徴とするトルマリン製電磁波障害防止装身具。
【請求項２】
トルマリン粉末が、芯材層上に形成された接着剤層上に付着することにより、芯材層と保護被膜層との間に保持されている請求項１に記載のトルマリン製電磁波障害防止装身具。
【請求項３】
コード状素材が、全体として可撓性を有している請求項１または２に記載のトルマリン製電磁波障害防止装身具。
【考案の詳細な説明】
【技術分野】
【０００１】
この考案は、指輪やブレスレット、ペンダント、ネックレス等の装身具として使用したときに、電磁波障害を防止することができ、しかも磁力による健康増進効果を有していて、磁気健康装身具としても機能するトルマリン製電磁波障害防止装身具を提供しようとするものである。
【背景技術】
【０００２】
従来、トルマリンは電気石とも言われ、電気磁気的作用を備えているとされている。それゆえ近年、携帯電話やページャ、パソコンのモニタ等から発生する電磁波による障害を防止するため、数珠状に形成したものがそれらの機器類に飾りとして装着され、使用されてきている。
【０００３】
それと同時に、指輪やブレスレット、ペンダント、ネックレス等の装身具の用途に貴重な素材としても再認識され、数珠状の装身具としてのみならず、トルマリン粉末を種々の金属素材やセラミック素材に混合すること等によっても広く使用されている。
【０００４】
ところで従来の金や銀、プラチナ等を主成分とする貴金属合金や、その他の金属素材、真珠や貴石類からなる天然素材等を用いた装身具においては、その適所に磁石を配置あるいは内蔵させ、その磁気作用によって血行促進や体質改善等の健康増進を図るようにしたものが知られている。これと軌を一にする発想が、携帯電話やページャ、パソコンのモニタ等から発生する電磁波障害を防止するため、それらの機器類に飾りとして数珠状のトルマリンを装着することである。
【先行技術文献】
【特許文献】
【０００５】
【特許文献１】特開２００１−３１４２１３号公報
【考案の概要】
【考案が解決しようとする課題】
【０００６】
しかしながらトルマリン自体は、貴石として認められてはいるが宝石としてはさほどの価値を備えているものではない。したがって、貴金属やその他の金属を用いた装身具にトルマリンを配置したり、トルマリン粉末類を配合しても、装身具としての付加価値が高まることはほとんど考えられない。
【０００７】
しかも、装身具の適所に磁石を配置あるいは内蔵させ、その磁気作用によって血行促進や体質改善等の健康増進を図るようにした磁気健康装身具においては、さらにトルマリン素材を配置しようとすると、トルマリン素材の配置位置や配合等によって、トルマリンが電磁波を吸収して磁力による健康増進効果が損なわれるという問題があった。
【０００８】
この考案は、従来例の上記欠点を解消しようとして鋭意研究した結果、指輪やブレスレット、ペンダント、ネックレス等の装身具として使用したときに、電磁波障害を防止することができ、しかも磁力による健康増進効果を有していて、磁気健康装身具としても機能するトルマリン製電磁波障害防止装身具を提供しようとするものである。
【課題を解決するための手段】
【０００９】
すなわちこの考案のトルマリン製電磁波障害防止装身具は、コード状に形成され、当該コード状素材が磁性材料を成形した芯材層と、その表面に形成した保護被膜層と、その間に介在させたトルマリン粉末層とで構成されていることを特徴とするものである。
【００１０】
この考案のトルマリン製電磁波障害防止装身具は、上記トルマリン粉末を、芯材層上に形成された接着剤層上に付着することにより、芯材層と保護被膜層との間に保持されていることをも特徴とするものである。
【００１１】
この考案のトルマリン製電磁波障害防止装身具は、上記コード状素材が、全体として可撓性を有していることをも特徴とするものである。
【００１２】
この考案を以上のように構成する理由は、トルマリン製電磁波障害防止装身具に占めるトルマリン素材の密度を簡単に調節できるようにして、トルマリンの電磁波による障害を防止する電気磁気的作用と、磁力による健康増進効果を有していて磁気健康装身具としての機能とを両立させることができるトルマリン製電磁波障害防止装身具を提供するためである。
【考案の効果】
【００１３】
この考案は以上のように構成したので、トルマリン製電磁波障害防止装身具に占めるトルマリン素材の密度を簡単に調節することができ、トルマリンの電磁波による障害を防止する電気磁気的作用と、磁力による健康増進効果を有していて磁気健康装身具としての機能とを両立させることができるトルマリン製電磁波障害防止装身具を提供することが可能となった。
【図面の簡単な説明】
【００１４】
【図１】この考案のトルマリン製電磁波障害防止装身具をブレスレットに適用した場合を示す一部切欠斜視図である。
【図２】その拡大断面図である。
【考案を実施するための形態】
【００１５】
以下この考案のトルマリン製電磁波障害防止装身具の実施の形態を、図面に基づいて詳細に説明する。図１はこの考案のトルマリン製電磁波障害防止装身具をブレスレットに適用した場合を示す一部切欠斜視図、図２はその拡大断面図である。
【００１６】
図において、１はトルマリン製電磁波障害防止装身具であり、全体としてコード状に形成されている。そして上記コード状のトルマリン素材１は、磁性材料を成形した芯材層２と、その表面に形成した保護被膜層３と、その間に介在させたトルマリン粉末層４とを積層した構造に構成されている。
【００１７】
上記磁性材料を成形した芯材層２は、例えばゴム磁石、プラスチック磁石等を素材とし、これをコード状に成形したものを用いることができる。上記ゴム磁石は、フェライト磁石の粉末をゴム状結合剤と混練し、リボン状、丸線状、その他の特殊断面形状に成形したものであり、フェライト磁石の代わりに希土類磁石を用いることもある。また、プラスチック磁石は、磁性材料として上記フェライト磁石や希土類磁石とともに、アルニコ磁石等も使用し、これをプラスチック材料に混練して、種々の形状にプレス成形、押し出し成形等によって成形したものである。
【００１８】
上記磁性材料を成形した芯材層２上には、保護被膜層３が積層される。この保護被膜層３は、ウレタン樹脂やサーリン樹脂等の耐衝撃性や引っ張り強度に優れ、傷付きにくく、しかも長期間使用してもひび等の入らないプラスチック素材やゴム素材であることが望ましい。この保護被膜層３は、上記芯材層２の押し出し成形の際に、同時にその外側に押し出し成形してもよく、また別途塗装等によって形成することもできる。
【００１９】
この考案のトルマリン製電磁波障害防止装身具１においては、トルマリン粉末を、例えば芯材層２上に形成された接着剤層上に付着することにより、芯材層と保護被膜層との間にトルマリン粉末層４として保持するものである。もちろん、塗装材料中に配合して塗布したり、吹き付けたりすることによっても積層することが可能である。また、上記芯材層２および保護被膜層３の押し出し成形の際に、同時に成形してもよい。
【００２０】
この考案のコード状をなすトルマリン製電磁波障害防止装身具１は、全体として可撓性を有していることが望ましい。このような折り曲げ可能な状態とする手段としては、芯材層２、保護被膜層３およびトルマリン粉末層４のそれぞれを、磁性材料やトルマリン粉末をゴム状結合剤、軟質塗料等の柔軟な素材で成形することが挙げられる。
【実施例１】
【００２１】
トルマリンを細かく粉砕した上ふるいで選別し、得た平均粒子径０．１μｍ〜１００μｍであるトルマリン粉末をフェライトゴム磁石を用いた芯材層２上に、塗布したゴム系接着剤の上に散布してトルマリン粉末層４を形成した。その後余分なトルマリン粉末をふるい落とした上、ウレタン樹脂塗料中に漬け込み、保護被膜層３で全体を被覆した。得たコード状のトルマリン製電磁波障害防止装身具１は、全体として可撓性を有しており、折り曲げ可能であって、ネックレスやブレスレット等の素材として好適に使用することができるものであった。
【実施例２】
【００２２】
トルマリンを細かく粉砕した上ふるいで選別し、得た平均粒子径０．１μｍ〜１００μｍであるトルマリン粉末をウレタン樹脂塗料中に配合し、フェライトゴム磁石を用いた芯材層２上に吹き付けてトルマリン粉末層４を形成した。その後さらに、ウレタン樹脂塗料中に漬け込み、保護被膜層３で全体を被覆した。得たコード状のトルマリン製電磁波障害防止装身具１は、全体として可撓性を有するとともに折り曲げ強度にも優れており、ネックレスやブレスレット等の素材として好適に使用することができるものであった。
【産業上の利用可能性】
【００２３】
この考案は以上のように構成したので、指輪やブレスレット、ペンダント、ネックレス等の装身具として使用することができ、トルマリンの電磁波による障害を防止する電気磁気的作用と、磁力による健康増進効果を有していて磁気健康装身具としての機能とを両立させることができる用途であれば、前記装身具での使用に何ら限定されるものではない。
【符号の説明】
【００２４】
１  トルマリン素材
２  芯材層
３  保護被膜層
４  トルマリン粉末層
【図１】
0003227571.tif 000003
【図２】
0003227571.tif 000004